(57)【特許請求の範囲】
【請求項１】
複数の筒状孔が形成された矩形板状のコア材と、前記コア材の厚み方向の一端面に設けられた表面材と、前記コア材の前記厚み方向の他端面に設けられた裏面材とを有する構造用パネルにおいて、
前記表面材は、前記一端面の左右側縁よりも外側にそれぞれ延在する延在部を有し、前記一端面の上下側縁よりも外側に延在する部位を有しておらず、
前記表面材及び前記裏面材は、その一方が透湿性を有し、他方が前記一方とは異なる透湿防水性を有していることを特徴とする構造用パネル。
【請求項２】
前記表面材及び前記裏面材は、１つの前記筒状孔に対して１つ以上が連通可能なように、それぞれ厚み方向に貫通する複数の孔を有し、
前記表面材と前記裏面材とで前記孔の孔径が異なることを特徴とする請求項１に記載の構造用パネル。
【請求項３】
複数の筒状孔が形成された矩形板状のコア材と、前記コア材の厚み方向の一端面に設けられた表面材と、前記コア材の前記厚み方向の他端面に設けられた裏面材とを有する構造用パネル、及び、複数の柱が、内装材と外装材との間に配置された木造住宅の外壁構造において、
前記表面材は、前記一端面の左右側縁よりも外側にそれぞれ延在し且つ当該左右側縁の全長に亘ってそれぞれ延在する延在部を有し、前記一端面の上下側縁よりも外側に延在する部位を有しておらず、
前記表面材及び前記裏面材が、１つの前記筒状孔に対して１つ以上が連通可能なように、それぞれ厚み方向に貫通する複数の孔を有し、前記表面材と前記裏面材とで前記孔の孔径が異なり、
前記裏面材は、前記厚み方向において、前記外装材と前記表面材との間に配置され、
前記外装材と前記裏面材との間に、外部と連通する通気部が構成されており、
前記コア材及び前記裏面材が前記柱間に配置され、前記延在部が前記柱と前記厚み方向に対向する位置に配置された状態で、当該延在部が前記柱に釘又はネジで固定されていることを特徴とする木造住宅の外壁構造。
【発明の詳細な説明】
【技術分野】
【０００１】
本発明は、木造建築物の壁、屋根、床、下地などに用いられるパネルであって、複数の筒状孔が形成された矩形板状のコア材を表面材及び裏面材でサンドイッチした構造用パネル、及び、木造住宅の外壁構造に関する。
【背景技術】
【０００２】
特許文献１には、矩形板状のハニカム体（コア材）の厚み方向の両面に同じサイズの樹脂シートを貼り付けて構成された、建築用内装板、すなわち、構造用パネルについて記載されている。
【先行技術文献】
【特許文献】
【０００３】
【特許文献１】実開昭５８−０５２２１２号公報
【発明の概要】
【発明が解決しようとする課題】
【０００４】
上記特許文献１に記載の構造用パネルは、軽量、高強度、高剛性などがあることから、木造住宅の構造用パネルとして有用と考えられるが、その形状が取付部などの無い矩形板状に成形されている。このため、間柱などの柱間に取り付ける際に、別の板材などを用いて取り付ける必要があり、施工が煩雑になるという問題がある。
【０００５】
そこで、本発明の目的は、柱間に容易に取り付けることが可能な構造用パネル、及び、住宅の外壁構造を提供することである。
【課題を解決するための手段】
【０００８】
本発明の構造用パネルは、複数の筒状孔が形成された矩形板状のコア材と、前記コア材の厚み方向の一端面に設けられた表面材と、前記コア材の前記厚み方向の他端面に設けられた裏面材とを有する構造用パネルにおいて、前記表面材は、前記一端面の左右側縁よりも外側にそれぞれ延在する延在部を有し、前記一端面の上下側縁よりも外側に延在する部位を有しておらず、前記表面材及び前記裏面材は、その一方が透湿性を有し、他方が前記一方とは異なる透湿防水性を有していることが好ましい。これによると、表面材が延在部を有していることで、当該延在部を介して構造用パネルを間柱などの柱間に取り付けて固定することが可能となる。このため、構造用パネルを柱間に容易に取り付けることが可能となる。また、構造用パネルが少なくとも湿気を通すことが可能となる。また、霧雨などを通さず、湿気を通すことが可能となる。
【０００９】
また、本発明において、前記表面材及び前記裏面材は、１つの前記筒状孔に対して１つ以上が連通可能なように、それぞれ厚み方向に貫通する複数の孔を有し、前記表面材と前記裏面材とで前記孔の孔径が異なることが好ましい。
【００１２】
また、本発明の木造住宅の外壁構造は、複数の筒状孔が形成された矩形板状のコア材と、前記コア材の厚み方向の一端面に設けられた表面材と、前記コア材の前記厚み方向の他端面に設けられた裏面材とを有する構造用パネル、及び、複数の柱が、内装材と外装材との間に配置された木造住宅の外壁構造において、前記表面材は、前記一端面の左右側縁よりも外側にそれぞれ延在し且つ当該左右側縁の全長に亘ってそれぞれ延在する延在部を有し、前記一端面の上下側縁よりも外側に延在する部位を有しておらず、前記表面材及び前記裏面材が、１つの前記筒状孔に対して１つ以上が連通可能なように、それぞれ厚み方向に貫通する複数の孔を有し、前記表面材と前記裏面材とで前記孔の孔径が異なり、前記裏面材は、前記厚み方向において、前記外装材と前記表面材との間に配置され、前記外装材と前記裏面材との間に、外部と連通する通気部が構成されており、前記コア材及び前記裏面材が前記柱間に配置され、前記延在部が前記柱と前記厚み方向に対向する位置に配置された状態で、当該延在部が前記柱に釘又はネジで固定されている。                                                                                       
【００１３】
これによると、表面材が延在部を有していることで、構造用パネルが間柱などの柱間に当該延在部を介して容易に取り付けられた、木造住宅の外壁構造となる。また、外装材と裏面材との間に通気部が構成されているため、内装材側から構造用パネルを通過してきた湿気を、通気部を介して外部に排出することができる。
【発明の効果】
【００１４】
本発明の構造用パネルによると、表面材が延在部を有していることで、当該延在部を介して構造用パネルを間柱などの柱間に取り付けて固定することが可能となる。このため、構造用パネルを柱間に容易に取り付けることが可能となる。また、構造用パネルが少なくとも湿気を通すことが可能となる。また、霧雨などを通さず、湿気を通すことが可能となる。
また、本発明の木造住宅の外壁構造によると、表面材が延在部を有していることで、構造用パネルが間柱などの柱間に当該延在部を介して容易に取り付けられた、木造住宅の外壁構造となる。また、外装材と裏面材との間に通気部が構成されているため、内装材側から構造用パネルを通過してきた湿気を、通気部を介して外部に排出することができる。                                                                      
【図面の簡単な説明】
【００１５】
【図１】本発明の一実施形態に係る構造用パネルが取り付けられた木造住宅の外壁構造の部分斜視図である。
【図２】図１に示す外壁構造の部分平面図である。
【図３】図１に示す構造用パネルの要部を示しており、（ａ）は、正面図であり、（ｂ）は、断面図である。
【発明を実施するための形態】
【００１６】
以下、本発明の一実施形態に係る構造用パネル１が取り付けられた木造住宅の外壁構造１００について、図１を参照しつつ以下に説明する。
【００１７】
本実施形態における木造住宅の外壁構造１００は、図１及び図２に示すように、外装材１０１と、内装材１０２と、外装材１０１と内装材１０２との間に配置された、複数の間柱１０３、複数の構造用パネル１及び複数の胴縁１０４とを有する。なお、図１においては、外壁構造１００の内部を分かりやすくするために、外装材１０１と胴縁１０４の上方部分の一部を省略して描いている。
【００１８】
間柱１０３は、外装材１０１と内装材１０２との間に配置された複数の柱（不図示）間に配置されている。つまり、複数の構造用パネル１も柱間に配置されている。構造用パネル１は、間柱１０３と柱との間に配置されているものもあり、この場合は間柱１０３と柱との両方に取り付けられている。なお、柱間に間柱１０３が設けられていない場合は、構造用パネル１は柱に取り付けられる。なお、間柱１０３は、本発明の「柱」に相当する。
【００１９】
構造用パネル１は、図１〜図３に示すように、コア材１０と、表面材１１と、裏面材１２とを有する。コア材１０は、アルミニウム又はアルミニウム合金などの軽金属から構成され、所定の厚みを有し、当該厚み方向Ａに貫通する筒状孔１０ａが多数形成された矩形の板状部材である。コア材１０は、図２に示すように、幅方向Ｂ（後述の一端面１０ｂの面内方向と平行な方向であって厚み方向Ａと直交する一方向）に関して、隣接する２つの間柱１０３間の長さよりも若干短い長さを有し、間柱１０３間に配置可能に構成されている。また、コア材１０は、軽金属以外の紙、樹脂（繊維強化プラスチック含む）、不織布などの材料から構成されていてもよく、特に限定するものではない。各筒状孔１０ａは、図３（ａ）に示すように、断面六角形に形成された、所謂ハニカムコアとして形成されている。つまり、コア材１０は、公知のハニカムコア材が採用されている。なお、筒状孔１０ａの断面形状は、正六角形以外の形状でもよく、例えば、円形、四角形などでもよく、特に限定するものではない。
【００２０】
表面材１１は、本実施形態において、所定の引張強度を有し、その厚みが０．５ｍｍ以上２．０ｍｍ以下の公知の透湿シートが採用されている。また、表面材１１は、図２及び図３（ｂ）に示すように、コア材１０の厚み方向Ａの一端面１０ｂに接着剤を介して設けられており、内装材１０２と対向する。表面材１１は、本体部１１ａと、一対の延在部１１ｂとを有する。本体部１１ａは、コア材１０の一端面１０ｂとほぼ同じ平面サイズを有しており、一端面１０ｂ全体と対向しつつ接着されている。一対の延在部１１ｂは、本体部１１ａの幅方向Ｂの両端から外側に延在して形成されている。つまり、一対の延在部１１ｂは、コア材１０の一端面１０ｂの幅方向Ｂの両端縁よりも外側にそれぞれ延在している。また、一対の延在部１１ｂは、図３（ａ）に示すように、上下方向Ｃに長尺に延在し、本体部１１ａの幅方向Ｂの両端の全長に亘って形成されている。また、延在部１１ｂは、図２に示すように、コア材１０が間柱１０３間に配置されたときに、間柱１０３と厚み方向Ａに対向可能に形成されている。なお、延在部１１ｂの幅方向Ｂの長さは、コア材１０が間柱１０３間に配置された状態において、間柱１０３の幅方向Ｂの長さの半分以下に形成されていることが好ましい。本実施形態における延在部１１ｂの幅方向Ｂの長さは、３０ｍｍ以上６０ｍｍ以下の範囲で形成されている。
【００２１】
表面材１１には、厚み方向Ａに貫通する複数の孔１３が形成されている。これら複数の孔１３は、１つの筒状孔１０ａに対して１つ以上が連通可能なように、表面材１１に形成されている。また、孔１３の孔径は、湿気を通過させることが可能な大きさを有しておればよい。本実施形態においては、表面材１１として、公知の透湿シートを採用しているが、透湿防水シート、通気シート、防湿シート、防水シートなどの公知のシートを採用してもよい。さらに、表面材１１の材料としては、例えば、不織布、樹脂、木、及び、これらの複合材料のいずれかから構成されたフィルム状、シート状及びボード状のいずれかを採用することが可能である。
【００２２】
裏面材１２は、本実施形態において、所定の引張強度を有し、その厚みが０．５ｍｍ以上２．０ｍｍ以下の公知の透湿防水シートが採用されている。また、裏面材１２は、図２及び図３（ｂ）に示すように、コア材１０の厚み方向Ａの他端面１０ｃに接着剤を介して設けられており、外装材１０１と対向する。つまり、裏面材１２は、厚み方向Ａにおいて、外装材１０１と表面材１１との間に配置されている。裏面材１２は、表面材１１の本体部１１ａと同じ形状及びサイズを有している。裏面材１２は、コア材１０の他端面１０ｃとほぼ同じ平面サイズを有しており、他端面１０ｃ全体と対向しつつ接着されている。
【００２３】
裏面材１２には、図３（ｂ）に示すように、厚み方向Ａに貫通する複数の孔１４が形成されている。これら複数の孔１４は、孔１３と同様に、１つの筒状孔１０ａに対して１つ以上が連通可能なように、裏面材１２に形成されている。本実施形態における孔１４の孔径は、０．５μｍ以上３μｍ以下の範囲で形成されている。これにより、雨（大きさが約２０００μｍ）、霧雨（大きさが約１００μｍ）が通過するのを防ぐことができ、水蒸気粒子（０．０００４μｍ）を通過させることができる。すなわち、裏面材１２が透湿性及び防水性を有することとなる。また、本実施形態においては、裏面材１２として、公知の透湿防水シートを採用しているが、透湿シート、通気シート、防湿シート、防水シートなどの公知のシートを採用してもよい。さらに、裏面材１２の材料としては、例えば、不織布、樹脂、木、及び、これらの複合材料のいずれかから構成されたフィルム状、シート状及びボード状のいずれかを採用することが可能である。
【００２４】
要するに、表面材１１が透湿防水性を有し、裏面材１２が透湿性のみを有していてもよいし、表面材１１及び裏面材１２の両方が透湿性のみを有していてもよい。また、表面材１１及び裏面材１２の両方が、透湿防水性を有していてもよい。
【００２５】
このような構造用パネル１は、図２に示すように、間柱１０３間にコア材１０及び裏面材１２を配置させ、表面材１１の延在部１１ｂを厚み方向Ａに間柱１０３と対向させた状態で、延在部１１ｂが上下方向Ｃの全長に亘って複数の釘１０６で間柱１０３に固定される。こうして、構造用パネル１の取付構造が構成される。本実施形態においては、延在部１１ｂが釘１０６によって間柱１０３に固定されているが、釘１０６に代えてネジで延在部１１ｂを間柱１０３に固定してもよい。
【００２６】
胴縁１０４は、図１及び図２に示すように、厚み方向Ａに関して間柱１０３と外装材１０１との間に配置され、間柱１０３に固定されている。これにより、構造用パネル１と外装材１０１との間であって隣接する胴縁１０４間のそれぞれに、通気部１０５が構成されている。これら通気部１０５が図示しない領域で木造住宅の外部と連通している。このため、内装材１０２側からの湿気を、構造用パネル１を通過させて通気部１０５を介して外部に排出することができる。また、裏面材１２が防水性を有しているため、通気部１０５を介して外部から霧雨などが侵入してきたとしても、構造用パネル１内に侵入するのを防止することができる。
【００２７】
以上に述べたように、本実施形態の外壁構造１００は、表面材１１が延在部１１ｂを有していることで、構造用パネル１が間柱１０３間に当該延在部１１ｂを介して容易に取り付けられた、木造住宅の外壁構造となる。また、構造用パネル１の取付構造においても、表面材１１が延在部１１ｂを有していることで、構造用パネル１が間柱１０３間に当該延在部１１ｂを介して容易に取り付けられた、構造用パネル１の取付構造となる。
【００２８】
構造用パネル１の表面材１１が延在部１１ｂを有していることで、当該延在部１１ｂを介して構造用パネル１を間柱１０３間に取り付けて固定することが可能となる。このため、構造用パネル１を間柱１０３間に容易に取り付けることが可能となる。この結果、施工がし易くなる。また、表面材１１及び裏面材１２が、透湿性を有しているため、構造用パネル１が内装材１０２側からの湿気を通すことが可能となる。このため、住宅内の湿気を外部に排出することができる。また、裏面材１２が、透湿防水シートから構成されているため、霧雨などを通さず、湿気のみを通すことが可能となる。
【００２９】
以上、本発明の好適な実施の形態について説明したが、本発明は上述の実施の形態に限られるものではなく、特許請求の範囲に記載した限りにおいて様々な変更が可能なものである。上述の実施形態における構造用パネル１の延在部１１ｂは、本体部１１ａの幅方向Ｂの両端の全長に亘って形成されているが、部分的に形成されていてもよい。また、延在部１１ｂは、一端面１０ｂの面内方向に平行であって幅方向Ｂを除く一方向において、一端面１０ｂの両側縁よりも外側に本体部１１ａからそれぞれ延在して形成されておればよい。また、延在部１１ｂは、本体部１１ａの上下方向Ｃの両端から外側（上下方向Ｃ）に延在するように形成されていてもよい。この場合、延在部１１ｂを釘やネジで土台、胴差及び軒桁などの横架材に固定してもよい。また、表面材１１は、延在部１１ｂに加えて、本体部１１ａの上下方向Ｃの両端から上下方向Ｃに延在する延在部を有していてもよい。そして、当該延在部を釘やネジで土台、胴差及び軒桁などの横架材に固定してもよい。
【００３０】
また、構造用パネル１の筒状孔１０ａ内に、発泡樹脂、グラスウールなどの断熱材を充填していてもよい。このとき、発泡ウレタンなどの発泡樹脂を筒状孔１０ａ内に充填する場合は、当該発泡樹脂で、表面材１１及び裏面材１２と、コア材１０とを接着することが可能となる。このため、発泡樹脂以外で、コア材１０と、表面材１１及び裏面材１２とを接着するための接着剤が不要となる。
【符号の説明】
【００３１】
１  構造用パネル
１０  コア材
１０ａ  筒状孔
１０ｂ  一端面
１０ｃ  他端面
１１  表面材
１２  裏面材
１００  外壁構造
１０１  外装材
１０２  内装材
１０３  間柱（柱）
１０５  通気部
１０６  釘
【図１】
0006726457.tif 000002
【図２】
0006726457.tif 000003
【図３】
0006726457.tif 000004